(57)【要約】【課題】モータにおいて、ステータを構成する複数の分割コアをリングに嵌合固定し、モータケースにリングを固定する場合に、さらなる小型化を図ることである。【解決手段】ステータ１２を構成する複数の分割コア１６の外周部に外周リング２０ａを嵌合固定し、モータケース１４に外周リング２０ａを固定する。外周リング２０ａは、複数の分割コア１６の外側に嵌合固定されるリング本体部材４２と、ケース取付部材４４とを有する。ケース取付部材４４は、径方向外側に延出し、モータケース１４に結合する外側延出部４７を有するフランジ部４５と、フランジ部４５の径方向内側に、屈曲部４６を介して連結される軸方向の筒部４８とを有する。屈曲部４６は、少なくとも径方向内端６２が、リング本体部材４２の外周面よりも径方向内側に位置する屈曲部側外周縁６０を有する。【選択図】図１
2010114951.tif 000002
【特許請求の範囲】
【請求項１】
ステータを構成する複数の分割コアの外周部にリングを嵌合固定し、モータケースにリングを固定しているモータであって、
リングは、
複数の分割コアの外側に嵌合固定されるリング本体部と、
径方向外側に延出し、モータケースに結合する径方向延出部と、
径方向延出部の径方向内側に、屈曲部を介して連結される軸方向の筒部と、を備え、
屈曲部は、少なくとも径方向内端が、リング本体部の外周面よりも径方向内側に位置する屈曲部側外周縁を有することを特徴とするモータ。
【請求項２】
請求項１に記載のモータであって、
径方向延出部と屈曲部と筒部とは、リング本体部を有するリング本体部材とは別のケース取付部材に設けられ、
筒部は、リング本体部の端部内側に圧入されていることを特徴とするモータ。
【請求項３】
請求項１に記載のモータにおいて、
モータケースは、
軸方向一端側に設けられ、径方向延出部を結合する取付面と、
軸方向他端側に設けられ、モータケースに対するリングの周方向の位置決めを行う位置決め部と、を有することを特徴とするモータ。
【請求項４】
請求項３に記載のモータにおいて、
モータケースは、軸方向一端部に設けられる開口部と、軸方向他端部に設けられる塞ぎ板部とを有し、モータケースの開口部側でモータケースとリングとが結合され、モータケースの塞ぎ板部側でモータケースに対するリングの周方向の位置決めがされることを特徴とするモータ。
【請求項５】
請求項１に記載のモータであって、
径方向延出部と屈曲部と筒部とは、リング本体部を有するリング本体部材とは別の第２ケース取付部材に設けられ、
リング本体部材は、リング本体部の一端側に設けられ、リング本体部の外径よりも外径が小さくなる小径筒部を有し、
小径筒部は、第２ケース取付部材の内側に圧入されていることを特徴とするモータ。
【請求項６】
請求項１に記載のモータにおいて、
リング本体部と径方向延出部と屈曲部と筒部とは、単一の取付部付リング部材に設けられ、
筒部は、リング本体部の外径よりも小さい外径を有することを特徴とするモータ。
【発明の詳細な説明】
【技術分野】
【０００１】
本発明は、ステータを構成する複数の分割コアの外周部にリングを嵌合固定し、モータケースにリングを固定しているモータに関する。
【背景技術】
【０００２】
従来から、図１５から図１６に示すように、複数の分割コアと、外周リングと、モータケースとを備えるモータが考えられている。図１５は、従来から考えられているモータにおいて、一部を省略した断面図である。図１６は、図１５から外周リング及び複数の分割コアのみを取り出して、図１５の右方から左方に見た図である。
【０００３】
図１５から図１６に示すモータ１０は、ステータ１２と、モータケース１４とを備える。ステータ１２は、複数の分割コア１６と、ステータ巻線１８とを有する。複数の分割コア１６を円環状に隣接するように配置した状態で、複数の分割コア１６に外周リング２０を焼き嵌め等により、締め代を持って外嵌固定し、複数の分割コア１６を円環状に連結することにより、ステータコア２２を構成している。各分割コア１６は、外周部に設けられるヨーク部２４と、ヨーク部２４の内周側に径方向に突出する状態で設けられるティース部２６とを有する。各ティース部２６または複数ずつのティース部２６に、集中巻または分布巻でステータ巻線１８を巻回している。
【０００４】
外周リング２０は、分割コア１６を嵌合する円筒状のリング本体部２９と、リング本体部２９の一端部（図１５の右端部）の周方向複数個所に設けられ、径方向外方に延出する径方向延出部３２とを有する。モータケース１４の内側に外周リング２０を配置した状態で、モータケース１４の開口端周辺部に設けた取付面２８に径方向延出部３２を当接させ、各径方向延出部３２に形成した通孔３４に挿通したボルト３６を、取付面２８に形成したねじ孔にねじ結合することにより、モータケース１４と外周リング２０とを一体に固定している。このように一体のコアではなく複数の分割コア１６によりステータ１２を構成するのは、モータ１０の小型化や材料の歩留まりを向上させるためである。
【０００５】
モータケース１４は、取付面２８よりも径方向外側に延出するケース側外側延出部３８を有する。ケース側外側延出部３８は、図示しない変速機ケースに図示しないボルトによりねじ結合可能としている。また、モータ１０は、図示しないロータ軸と、ロータ軸に固定した図示しないロータとを備え、ステータ１２の径方向内側にロータを対向させ、モータケース１４にロータ軸を回転可能に支持している。
【０００６】
ロータは、例えば、周方向複数個所に永久磁石を配置し、ロータとステータ１２とを組み合わせることにより、永久磁石型のモータ１０を構成する。また、外周リング２０は、絞り加工等により、リング本体部２９とフランジ部３０とを一体成形している。なお、モータ１０は、永久磁石型のモータに限定するものではなく、同期モータ等の他のモータとすることもできる。このように、ステータ１２を複数の分割コア１６により構成する場合、モータケース１４にステータ１２を、外周リング２０を介して組み付けることが従来から考えられている。また、ケース側外側延出部３８は、変速機ケース以外の別の部材に固定することもできる。
【０００７】
また、特許文献１には、電動機のハウジングを形成するハウジングであって、内燃機関とトランスミッションとの間に連結固定されるハウジングが記載されている。ハウジングの内部空間は、ステータホルダや環状ステータ群が収納可能な形状に形成されており、ステータホルダは、筒部と、その軸線方向一端側に径方向外側に張り出すように設けられたフランジ部とを備えるとされている。ステータホルダは、フランジ部に設けられた貫通孔に挿通されたボルトを、ハウジングのボルト孔に螺合することにより、ハウジングに固定されるとされている。環状ステータ群は、所定数のステータ片を円環状に配列して構成され、ステータホルダに取り付けられるとされている。
【０００８】
【特許文献１】特開２００５−３１２１５１号公報
【発明の開示】
【発明が解決しようとする課題】
【０００９】
上記の図１５から図１６に示した従来から考えられているモータ１０の場合、外周リング２０は、絞り加工等により、リング本体部２９と複数の径方向延出部３２とを一体成形している。このため、外周リング２０の構造は単純になるが、外周リング２０に径方向延出部３２を形成するのに伴って、リング本体部２９と径方向延出部３２との連結部に湾曲した曲げＲ部４０（図１５）が形成される。この場合には、曲げＲ部４０を避けた部分に設けられる複数の径方向延出部３２の径方向外端の中心軸Ｏ（図１５）からの長さが大きくなり、各径方向延出部３２に形成する複数の通孔３４中心を含む仮想円の直径である、ピッチ円直径（以下、「Ｐ．Ｃ．Ｄ．」とする。）の直径Ｄ１も大きくなる可能性がある。この結果、玉突き的に通孔３４に挿通するボルト３６を結合するねじ孔を含むモータケース１４の外径Ｄ２も大きくなる可能性がある。これに対して、曲げＲ部４０を極小さくすることも考えられるが、絞り加工等の安価な加工により外周リング２０を形成する場合、曲げＲ部４０を小さくすることには限界がある。このような曲げＲ部４０が形成される場合において、何ら工夫しない場合には直径Ｄ１が大きくなるため、モータ１０全体のさらなる小型化を図る面から改良の余地がある。モータ１０のさらなる小型化を図れると、重量やコストを低減しやすくなり、またモータ１０を搭載する車両等の被搭載物に対するモータ１０の搭載性の向上を図れるため、望ましい。
【００１０】
また、特許文献１に記載された構成の場合も、モータケースに対応するハウジングと、外周リングに対応するステータホルダと、複数の分割コアに対応する環状ステータ群とを備える。また、ステータホルダは、筒部と、筒部に一体に設けられたフランジ部とを備える。このため、筒部とフランジ部との連続部に曲げＲ部が形成されやすい。このため、何ら工夫しない場合には、上記の図１５から図１６に示した構成の場合と同様に、フランジ部に形成される貫通孔により規定されるＰ．Ｃ．Ｄ．が大きくなり、モータ全体が大型化する原因となる。
【００１１】
本発明は、モータにおいて、ステータを構成する複数の分割コアをリングに嵌合固定し、モータケースにリングを固定する場合に、さらなる小型化を図ることを目的とする。
【課題を解決するための手段】
【００１２】
本発明に係るモータは、ステータを構成する複数の分割コアの外周部にリングを嵌合固定し、モータケースにリングを固定しているモータであって、リングは、複数の分割コアの外側に嵌合固定されるリング本体部と、径方向外側に延出し、モータケースに結合する径方向延出部と、径方向延出部の径方向内側に、屈曲部を介して連結される軸方向の筒部と、を備え、屈曲部は、少なくとも径方向内端が、リング本体部の外周面よりも径方向内側に位置する屈曲部側外周縁を有することを特徴とするモータである。
【００１３】
上記のモータによれば、ステータを構成する複数の分割コアをリングに嵌合固定し、リングをモータケースに固定する構成において、径方向延出部の径方向内側に、屈曲部を介して連結される軸方向の筒部を備え、屈曲部は、少なくとも径方向内端が、リング本体部の外周面よりも径方向内側に位置する屈曲部側外周縁を有する。このため、屈曲部を有する部材を絞り加工等安価な加工を用いて造る等により、湾曲した屈曲部が形成される場合でも、屈曲部の径方向外側に設けられる径方向延出部の径方向外端の、中心軸からの長さを小さくでき、径方向延出部においてモータケースとの結合部の中心軸からの長さを小さくでき、モータのさらなる小型化を図れる。
【００１４】
また、本発明に係るモータにおいて、好ましくは、径方向延出部と屈曲部と筒部とは、リング本体部を有するリング本体部材とは別のケース取付部材に設けられ、筒部は、リング本体部の端部内側に圧入されている。
【００１５】
上記のモータによれば、モータの小型化を図れる構造を、単純な形状を有する部材の組み合わせにより実現でき、モータを造る際の複雑な加工作業をなくすか、または少なくできる。
【００１６】
また、本発明に係るモータにおいて、好ましくは、モータケースは、軸方向一端側に設けられ、径方向延出部を結合する取付面と、軸方向他端側に設けられ、モータケースに対するリングの周方向の位置決めを行う位置決め部と、を有する。
【００１７】
上記のモータによれば、外周リングをモータケースに対し、軸方向の両側での両持ち構造により支持することができ、モータケースに対し複数の分割コアをより安定して結合固定することができる。
【００１８】
また、本発明に係るモータにおいて、好ましくは、モータケースは、軸方向一端部に設けられる開口部と、軸方向他端部に設けられる塞ぎ板部とを有し、モータケースの開口部側でモータケースとリングとが結合され、モータケースの塞ぎ板部側でモータケースに対するリングの周方向の位置決めがされる。
【００１９】
また、本発明に係るモータにおいて、好ましくは、径方向延出部と屈曲部と筒部とは、リング本体部を有するリング本体部材とは別の第２ケース取付部材に設けられ、リング本体部材は、リング本体部の一端側に設けられ、リング本体部の外径よりも外径が小さくなる小径筒部を有し、小径筒部は、第２ケース取付部材の内側に圧入されている。
【００２０】
また、本発明に係るモータにおいて、好ましくは、リング本体部と径方向延出部と屈曲部と筒部とは、単一の取付部付リング部材に設けられ、筒部は、リング本体部の外径よりも小さい外径を有する。
【発明の効果】
【００２１】
本発明に係るモータによれば、ステータを構成する複数の分割コアをリングに嵌合固定し、モータケースにリングを固定する場合に、さらなる小型化を図れる。
【発明を実施するための最良の形態】
【００２２】
［第１の発明の実施の形態］
以下において、図面を用いて本発明に係る実施の形態につき詳細に説明する。図１から図７は、本発明の第１の実施の形態を示している。図１は、本実施の形態のモータにおいて、一部を省略した断面図である。図２は、図１からリング本体部材及び複数の分割コアのみを取り出して、図１の軸方向に見た図である。図３は、図１からケース取付部材のみを取り出して、図１の右方から左方に見た図である。図４は、ステータをリング本体部材の内側に嵌合する状態を示す断面図である。図５は、リング本体部材に嵌合固定したステータをモータケースの内側に挿入する状態を示す断面図である。図６は、図５に示す状態において、モータケースにケース取付部材をボルトにより結合する状態を示す断面図である。図７は、図６からケース取付部材のみを取り出して示す拡大断面図である。なお、本実施において、モータケースと、ステータとの基本構造は、上記の図１５から図１６に示した従来から考えられている構造と同様であるので、以下、図１５から図１６に示した構造と同等部分には同一符号を付して重複する説明は省略もしくは簡略にする。
【００２３】
図１に示すように、本実施の形態のモータ１０ａは、ステータ１２を構成する複数の分割コア１６の外周部に外周リング２０ａを嵌合固定し、モータケース１４に外周リング２０ａを固定している。特に、外周リング２０ａは、図１、図２に示す、円筒状のリング本体部のみを有するリング本体部材４２と、図１、図３に示すように、断面略Ｌ字形で全体を環状に形成されたケース取付部材４４との、２個の部材４２，４４により構成している。リング本体部材４２及びケース取付部材４４は、鋼板等の金属製である。ケース取付部材４４は、径方向外側に延出する径方向延出部である、略円板状のフランジ部４５と、フランジ部４５の径方向内側に、湾曲形状を有する屈曲部４６を介して連結される軸方向の筒部４８とを備える。また、フランジ部４５を構成する円板状のフランジ本体４９の外周面の周方向複数個所（図示の例では３個所）に、径方向外方に延出する外側延出部４７を設けている。各外側延出部４７に、ボルト３６を挿通するための通孔３４を形成するとともに、図３に示すように、複数の外側延出部４７の少なくとも２個の外側延出部４７に、周方向の位置決めを図るための図示しない棒状のノックピン挿通用のノック孔５０を形成している。
【００２４】
図１に示すように、モータケース１４は、アルミニウム等により構成する略有底筒状で、軸方向一端部（図１の右端部）に設けられる開口部５２と、軸方向他端部（図１の左端部）に設けられる塞ぎ板部５４とを有する。モータケース１４の内側奥端寄り部分に円環状の段差面である、ケース座面５６を設けている。また、モータケース１４の開口部５２の周辺部に、軸方向に対し直交する仮想平面上に位置する取付面２８を設け、取付面２８の周方向複数個所に軸方向のねじ孔を形成している。また、モータケース１４において、取付面２８よりも径方向外側に、全周にわたって、または周方向複数個所に、径方向に伸びるケース側外側延出部３８を設けており、各ケース側外側延出部３８に軸方向に貫通するケース側通孔５８を形成している。ケース側外側延出部３８の外側面（図１の右側面）は、図示しない変速機ケースや、有底筒状のモータカバー等の他の部材に当接させ、ケース側通孔５８に挿通した図示しないボルトにより、他の部材とモータケース１４とを結合するために使用する。
【００２５】
外周リング２０ａは、リング本体部材４２の一端部（図１の右端部）内側に、ケース取付部材４４の筒部４８を圧入することにより構成している。すなわち、ステータ１２を固定した外周リング２０ａをモータケース１４に結合固定するために、次のような製造方法によりモータ１０ａを製造する。まず、図４に示すように、第１工程として、円環状に隣接させた複数の分割コア１６の内周側に設けたティース部２６に、ステータ巻線１８を巻回し、ステータ１２を構成した状態で、リング本体部材４２の内側に複数の分割コア１６を組み付ける、すなわち嵌合固定する。
【００２６】
次に、図５に示すように、第２工程として、複数の分割コア１６を固定したリング本体部材４２を、モータケース１４の開口端側から内側に挿入し、リング本体部材４２の他端面（図５の左端面）を、モータケース１４の内側奥端寄り部分に設けられたケース座面５６に、軸方向に突き当てる。この場合、モータケース１４内周面とリング本体部材４２の外周面との間の軸方向の少なくとも一部には、径方向の隙間が形成されている。
【００２７】
次に、図６に示すように、第３工程として、リング本体部材４２の一端部の内側にケース取付部材４４の筒部４８を徐々に圧入し、ケース取付部材４４に設けられたフランジ部４５の内側面を、モータケース１４の取付面２８に突き当てる。この場合、取付面の周方向複数個所に設けられた複数のねじ孔と、外側延出部４７に設けた複数の通孔３４とを整合させる。また、モータケース１４の取付面２８に軸方向に突出する状態で固定した棒状のノックピンを、少なくとも２個の外側延出部４７に設けたノック孔５０（図３）に挿通させることにより、モータケース１４に対するケース取付部材４４の周方向の位置決めを図れるようにしている。そして、この状態で、複数の通孔３４に挿通したボルト３６を複数のねじ孔にねじ結合することにより、取付面２８に外側延出部４７を結合固定する。この結果、モータケース１４にケース取付部材４４が結合固定され、ケース取付部材４４とリング本体部材４２とにより、外周リング２０ａが構成される。
【００２８】
また、モータケース１４に、ロータを固定したロータ軸を回転可能に支持し、ロータをステータ１２に対向させることによりモータ１０ａを構成する。このようにモータ１０ａを構成した状態で、ケース取付部材４４の外側延出部４７は、リング本体部材４２よりも径方向外側に延出し、モータケース１４に結合固定される。また、図１に示すように、ケース取付部材４４に設けられた屈曲部４６は、少なくとも径方向内端が、リング本体部材４２の外周面よりも径方向内側に位置する屈曲部側外周縁６０を有する。すなわち、図７に示すように、ケース取付部材４４の筒部４８とフランジ部４５との連結部である、湾曲形状の屈曲部４６の外周縁である、屈曲部側外周縁６０は、径方向内端６２が筒部４８の円筒状の外周面の軸方向一端との連続部に位置し、径方向外端６４がフランジ部４５の平坦面である内側面（図７の左側面）の径方向内端との連続部に位置する。そして、屈曲部側外周縁６０の径方向内端６２を、リング本体部材４２（図１等）の外周面よりも径方向内側に位置させている。
【００２９】
このようなモータ１０ａによれば、ステータ１２を構成する複数の分割コア１６を外周リング２０ａに嵌合固定し、モータケース１４に外周リング２０ａを固定する構成において、フランジ部４５の径方向内側に、屈曲部４６を介して連結される軸方向の筒部４８を備え、屈曲部４６は、少なくとも径方向内端６２が、リング本体部材４２の外周面よりも径方向内側に位置する屈曲部側外周縁６０を有する。このため、屈曲部４６を有するケース取付部材４４を絞り加工等安価な加工を用いて造る等により、湾曲した屈曲部４６が形成される場合でも、屈曲部４６の径方向外側に設けられるフランジ部４５の径方向外端の、中心軸Ｏ（図１）からの長さを小さくでき、フランジ部４５においてモータケース１４との結合部である、複数のボルト３６とねじ孔とを含む仮想円の直径である、Ｐ．Ｃ．Ｄ．の直径Ｄ１ａを、上記の図１５から図１６に示した従来から考えられている構造の場合の直径Ｄ１よりも小さくできる。すなわち、フランジ部４５において、モータケース１４との結合部の中心軸Ｏからの長さを小さくできる。したがって、ボルト３６結合用のねじ孔よりも外径側にケース側外側延出部３８を有する、モータケース１４の外径Ｄ２ａも、上記の図１５から図１６に示した従来から考えられている構造の場合の直径Ｄ２よりも小さくでき、モータ１０ａのさらなる小型化を図れる。
【００３０】
また、フランジ部４５と屈曲部４６と筒部４８とは、円筒状のリング本体部を有するリング本体部材４２とは別のケース取付部材４４に設けられ、筒部４８は、リング本体部材４２の端部内側に圧入している。このため、モータ１０ａの小型化を図れる構造を、単純な形状を有する部材の組み合わせにより実現でき、モータ１０ａを造る際の複雑な加工作業をなくすか、または少なくできる。
【００３１】
［第２の発明の実施の形態］
図８は、（ａ）が本発明の第２の実施の形態のモータにおいて、一部を省略した断面図であり、（ｂ）が図１から外周リング及び複数の分割コアのみを取り出して、（ａ）の右方から左方に見た図である。図９は、（ａ）が図８（ｂ）からリング本体部材のみを取り出して示す図であり、（ｂ）が（ａ）のＡ−Ａ断面図である。図１０は、（ａ）が図８（ｂ）からケース取付部材のみを取り出して示す図であり、（ｂ）が（ａ）のＢ−Ｂ断面図である。図１１は、モータケースのみを取り出して示す、図８（ａ）のＣ−Ｃ断面図である。
【００３２】
図８（ａ）（ｂ）、図９（ａ）（ｂ）に示すように、本実施の形態のモータ１０ｂでは、外周リング２０ｂを構成する円筒状のリング本体部材４２ａの軸方向他端部（図８（ａ）、図９（ｂ）の左端部）外周面の周方向の２個所以上（図示の例では２個所）の位置に、外径側に突出する第２外側延出部６６を設けている。また、各第２外側延出部６６に、ノックピン６８挿通用の軸方向のノック孔７０を形成している。このようなリング本体部材４２ａの端部には、ケース取付部材４４を圧入している。
【００３３】
図１０（ａ）（ｂ）に示すように、ケース取付部材４４では、フランジ部４５の周方向複数個所に外側延出部４７を設けている。ただし、上記の図３に示した第１の実施の形態の場合と異なり、各外側延出部４７にはノックピン挿通用のノック孔５０（図３参照）は設けていない。
【００３４】
また、図８（ａ）（ｂ）に示すように、モータケース１４は、軸方向一端部に設けられる開口部５２と、軸方向他端部に設けられる塞ぎ板部５４とを有し、軸方向一端部の開口部５２の周囲に、外側延出部４７を結合するための取付面２８を設けている。したがって、外周リング２０ｂは、モータケース１４の開口部５２側でモータケース１４と結合される。
【００３５】
一方、図８（ａ）、図１１に示すように、モータケース１４において、開口部５２の内周面の周方向２個所以上（図示の例では２個所）の位置に、径方向外側に窪んだ軸方向の凹孔７２を設けている。凹孔７２の軸方向一端は、取り付け面２８に開口させている。凹孔７２の軸方向他端は、モータケース１４の奥端寄り部分に設けた段差面であるケース座面５６と軸方向同位置に達している。各凹孔７２の奥端面から棒状のノックピン６８を、軸方向に突出した状態で固定している。リング本体部材４２ａの一部に挿通するノックピン６８は、モータケース１４に対する外周リング２０ｂの周方向の位置決めを行う位置決め部に対応する。
【００３６】
図８（ａ）に示すように、モータケース１４の内側にリング本体部材４２ａを挿入する場合には、リング本体部材４２ａの各第２外側延出部６６を、モータケース１４の各凹孔７２に嵌め合いながら、モータケース１４にリング本体部材４２ａを挿入し、各第２外側延出部６６の側面を各凹孔７２の奥端面に突き当て、各第２外側延出部６６に形成したノック孔７０に、モータケース１４に固定したノックピン６８を挿通させる。この構成により、モータケース１４に対するリング本体部材４２ａの回転が阻止される。すなわち、モータケース１４の塞ぎ板部５４側で、モータケース１４に対する外周リング２０ｂの位置決めがされる。また、この状態で、リング本体部材４２ａの端部内側にケース取付部材４４の筒部４８を圧入する。
【００３７】
このような本実施の形態によれば、モータケース１４は、軸方向一端側に設けられ、外側延出部４７を結合するための取付面２８と、軸方向他端側に設けられ、モータケース１４に対する外周リング２０ｂの周方向の位置決めを行う、リング本体部材４２ａに挿通するノックピン６８とを有する。このため、外周リング２０ｂをモータケース１４に対し、軸方向の両側での両持ち構造により支持することができ、モータケース１４に対し複数の分割コア１６をより安定して結合固定することができる。その他の構成及び作用については、上記の第１の実施の形態と同様であるため、同等部分には同一符号を付して重複する図示及び説明を省略する。
【００３８】
［第３の発明の実施の形態］
図１２は、本発明の第３の実施の形態のモータにおいて、一部を省略した断面図である。図１３は、一部を省略して示す、図１２のＤ部拡大断面図である。
【００３９】
図１２、図１３に示すように、本実施の形態のモータ１０ｃでは、外周リング２０ｃは、リング本体部材４２ｂと、リング本体部材４２ｂとは別部材の第２ケース取付部材７４とを有する。リング本体部材４２ｂは、円筒状のリング本体部７６と、リング本体部７６の軸方向一端側に設けられ、リング本体部７６の外径よりも小さい外径を有する小径筒部７８とを、部分円すい形状の連結部８０により連結している。外周リング２０ｃを構成するリング本体部７６の内側に複数の分割コア１６を嵌合固定した状態で、連結部８０及び小径筒部７８は、分割コア１６の外端面（図１２の右端面）よりも軸方向外側に設けられる。
【００４０】
第２ケース取付部材７４は、上記の図１から図７に示した第１の実施の形態のモータ１０を構成するケース取付部材４４と同様に、径方向外側に延出する略円板状のフランジ部４５ａと、フランジ部４５ａの径方向内側に、湾曲形状を有する屈曲部４６ａを介して連結される軸方向の筒部４８ａとを有する。また、フランジ部４５ａを構成するフランジ本体４９の外周面の周方向複数個所に、径方向外方に延出する外側延出部４７を設けている。また、筒部４８ａの内径は、上記の第１の実施の形態のケース取付部材４４（図１参照）を構成する筒部４８（図１参照）の内径よりも少し大きくしている。
【００４１】
図１３に示すように、外周リング２０ｃを構成する場合には、リング本体部材４２ｂに設けた小径筒部７８を、第２ケース取付部材７４に設けた筒部４８ａの内側に圧入し、リング本体部材４２ｂと第２ケース取付部材７４とを結合固定する。この状態で、第２ケース取付部材７４に設けた屈曲部４６ａの外周縁である屈曲部側外周縁６０ａの径方向内端６２ａは、リング本体部７６の外周面よりも径方向内側に位置させる。言い換えれば、屈曲部４６ａは、径方向内端６２ａが、リング本体部７６の外周面よりも径方向内側に位置する屈曲部側外周縁６０ａを有する。すなわち、径方向内端６２ａの直径ｄ１は、リング本体部７６の外径ｄ２よりも小さくなっている。
【００４２】
このような本実施の形態のモータ１０ｃの場合も、上記の各実施の形態と同様に、ステータ１２を構成する複数の分割コア１６を外周リング２０ｃに嵌合固定し、モータケース１４に外周リング２０ｃを固定する構成において、外周リング２０ｃを構成する第２ケース取付部材７４に湾曲した屈曲部４６ａが形成される場合でも、屈曲部４６ａの径方向外側に設けられるフランジ部４５ａの径方向外端の、中心軸Ｏからの長さ、及び、フランジ部４５ａに形成した通孔３４のＰ．Ｃ．Ｄ．である直径Ｄ１ｂを小さくでき、モータケース１４の外径Ｄ２ｂも小さくできて、モータ１０ｃのさらなる小型化を図れる。その他の構成及び作用については、上記の図１から図７に示した第１の実施の形態と同様であるため、同等部分には同一符号を付して重複する図示及び説明を省略する。
【００４３】
［第４の発明の実施の形態］
図１４は、本発明の第４の実施の形態のモータにおいて、取付部付リング部材の軸方向一端部を示す断面図である。図１４に示すように、本実施の形態では、上記の図１から図７に示した第１の実施の形態で、リング本体部材４２（図１等参照）とケース取付部材４４（図１等参照）との代わりに、単一の部材である、取付部付リング部材８２を使用している。取付部付リング部材８２は、リング本体部材４２とケース取付部材４４とを一体に結合したような構成を有するもので、円筒状のリング本体部８４と、径方向外方に延出する径方向延出部である、フランジ部８６と、フランジ部８６の内径側に設ける小径筒部８８と、小径筒部８８及びフランジ部８６を連結する湾曲形状の屈曲部９０と、小径筒部８８及びリング本体部８４を連結する連結部９２とを一体に設けている。フランジ部８６を構成する円板状のフランジ本体９３の周方向複数個所に、径方向外側に延出する外側延出部４７を設けている。
【００４４】
小径筒部８８は、リング本体部８４の外径よりも小さい外径を有する。したがって、屈曲部９０の外周縁である、屈曲部側外周縁９４の径方向内端９６は、リング本体部８４の外周面よりも径方向内側に位置する。すなわち、径方向内端９６の直径ｄ１ａは、リング本体部８４の外径ｄ２ａよりも小さくなっている。
【００４５】
このような取付部付リング部材８２をモータケース１４に固定する場合、取付部付リング部材８２のリング本体部８４の片側（図１４の左側）端縁をモータケース１４（図１等参照）の奥端寄りに設けた段差面である、ケース座面５６（図１等参照）に突き当てず、ケース座面５６との間に隙間を設けたままとなるように、モータケース１４内に取付部付リング部材８２を挿入する。そして、この状態で、取付部付リング部材８２の外側延出部４７を含むフランジ部８６の内側面（図１４の左側面）を、モータケース１４の取付面２８（図１等参照）に突き当て、外側延出部４７の通孔３４を挿通したボルト３６（図１等参照）を取付面２８に形成したねじ孔にねじ結合することにより、モータケース１４に取付部付リング部材８２を固定する。
【００４６】
このような本実施の形態のモータの場合も、上記の各実施の形態と同様に、ステータ１２（図１等参照）を構成する複数の分割コア１６（図１等参照）を取付部付リング部材８２に嵌合固定し、モータケース１４に取付部付リング部材８２を固定する構成において、取付部付リング部材８２に湾曲した屈曲部９０が形成される場合でも、屈曲部９０の径方向外側に設けられるフランジ部８６の径方向外端の中心軸からの長さ、及び、フランジ部８６に形成した通孔３４のＰ．Ｃ．Ｄ．を小さくでき、モータケース１４の外径も小さくできて、モータのさらなる小型化を図れる。その他の構成及び作用については、上記の図１から図７に示した第１の実施の形態と同様であるため、同等部分には同一符号を付して重複する図示及び説明を省略する。
【００４７】
なお、上記の各実施の形態では、径方向延出部が複数の外側延出部を有するフランジ部である場合を説明したが、本発明はこのような構成に限定するものではない。例えば、複数野屈曲部に、円板状のフランジ本体を介さず、直接径方向延出部である複数野外側延出部を連続させることもできる。また、上記の各実施の形態において、円板状のフランジ本体に、ボルト挿通用の通孔を形成することもできる。
【図面の簡単な説明】
【００４８】
【図１】本発明の第１の実施の形態のモータにおいて、一部を省略した断面図である。
【図２】図１からリング本体部材及び複数の分割コアのみを取り出して、図１の軸方向に見た図である。
【図３】図１からケース取付部材のみを取り出して、図１の右方から左方に見た図である。
【図４】ステータをリング本体部材の内側に嵌合する状態を示す断面図である。
【図５】リング本体部材に嵌合固定したステータをモータケースの内側に挿入する状態を示す断面図である。
【図６】図５に示す状態において、モータケースにケース取付部材をボルトにより結合する状態を示す断面図である。
【図７】図６からケース取付部材のみを取り出して示す拡大断面図である。
【図８】（ａ）が本発明の第２の実施の形態のモータにおいて、一部を省略した断面図であり、（ｂ）が図１から外周リング及び複数の分割コアのみを取り出して、（ａ）の右方から左方に見た図である。
【図９】（ａ）が図８（ｂ）からリング本体部材のみを取り出して示す図であり、（ｂ）が（ａ）のＡ−Ａ断面図である。
【図１０】（ａ）が図８（ｂ）からケース取付部材のみを取り出して示す図であり、（ｂ）が（ａ）のＢ−Ｂ断面図である。
【図１１】モータケースのみを取り出して示す、図８（ａ）のＣ−Ｃ断面図である。
【図１２】本発明の第３の実施の形態のモータにおいて、一部を省略した断面図である。
【図１３】一部を省略して示す、図１２のＤ部拡大断面図である。
【図１４】本発明の第４の実施の形態のモータにおいて、取付部付リング部材の軸方向一端部を示す断面図である。
【図１５】従来から考えられているモータにおいて、一部を省略した断面図である。
【図１６】図１５から外周リング及び複数の分割コアのみを取り出して、図１５の右方から左方に見た図である。
【符号の説明】
【００４９】
１０，１０ａ，１０ｂ，１０ｃ  モータ、１２  ステータ、１４  モータケース、１６  分割コア、１８  ステータ巻線、２０，２０ａ，２０ｂ，２０ｃ  外周リング、２２  ステータコア、２４  ヨーク部、２６  ティース部、２８  取付面、２９  リング本体部、３２  径方向延出部、３４  通孔、３６  ボルト、３８  ケース側外側延出部、４０  曲げＲ部、４２，４２ａ，４２ｂ  リング本体部材、４４  ケース取付部材、４５，４５ａ  フランジ部、４６，４６ａ  屈曲部、４７  外側延出部、４８，４８ａ  筒部、４９  フランジ本体、５０  ノック孔、５２  開口部、５４  塞ぎ板部、５６  ケース座面、５８  ケース側通孔、６０，６０ａ  屈曲部側外周縁、６２，６２ａ  径方向内端、６４  径方向外端、６６  第２外側延出部、６８  ノックピン、７０  ノック孔、７２  凹孔、７４  第２ケース取付部材、７６  リング本体部、７８  小径筒部、８０  連結部、８２  取付部付リング部材、８４  リング本体部、８６  フランジ部、８８  小径筒部、９０  屈曲部、９２  連結部、９３  フランジ本体、９４  屈曲部側外周縁、９６  径方向内端。
【図１】
2010114951.tif 000003
【図２】
2010114951.tif 000004
【図３】
2010114951.tif 000005
【図４】
2010114951.tif 000006
【図５】
2010114951.tif 000007
【図６】
2010114951.tif 000008
【図７】
2010114951.tif 000009
【図８】
2010114951.tif 000010
【図９】
2010114951.tif 000011
【図１０】
2010114951.tif 000012
【図１１】
2010114951.tif 000013
【図１２】
2010114951.tif 000014
【図１３】
2010114951.tif 000015
【図１４】
2010114951.tif 000016
【図１５】
2010114951.tif 000017
【図１６】
2010114951.tif 000018